(57)【特許請求の範囲】
【請求項１】
結束バンドが取り付けられる取付壁と、互いの間に前記取付壁を位置付ける第１壁部及び第２壁部と、を備え、前記取付壁と前記第１壁部との間に設けられた第１の隙間から前記取付壁と前記第２壁部との間に設けられた第２の隙間に向かって前記結束バンドを挿通させて前記取付壁に前記結束バンドを取り付ける結束バンドの取付構造において、
前記取付壁には貫通孔が設けられ、
前記貫通孔に対向する位置に配置され、前記第２壁部に向かうに従って前記取付壁側に向かう傾斜が設けられた第１ガイド壁と、
前記第２壁部に連結されると共に前記第２の隙間に対向する位置に配置され、前記第２壁部に向かうに従って前記取付壁側に向かう傾斜が設けられた第２ガイド壁と、
を備えたことを特徴とする結束バンドの取付構造。
【請求項２】
前記第１ガイド壁の前記第２壁部側の端部が、前記第２ガイド壁の前記第１壁部側の端部よりも前記取付壁側に設けられている
ことを特徴とする請求項１に記載の結束バンドの取付構造。
【請求項３】
前記第１壁部から前記第２壁部に向かって突出して設けられ、前記第１の隙間に対向する位置に配置された第３ガイド壁をさらに備え、
前記第３ガイド壁は、前記第１壁部から離れる従って前記第１の隙間から離れる傾斜が設けられている
ことを特徴とする請求項１又は２に記載の結束バンドの取付構造。
【請求項４】
前記貫通孔よりも前記第１壁部に近い前記取付壁の部分は、前記第１壁部から離れるに従って前記第１ガイド壁側に向かう傾斜が設けられ、前記貫通孔よりも前記第２壁部に近い前記取付壁の部分は、前記第２壁部から離れるに従って前記第１ガイド壁側に向かう傾斜が設けられている
ことを特徴とする請求項１〜３何れか１項に記載の結束バンドの取付構造。
【発明の詳細な説明】
【技術分野】
【０００１】
本発明は、結束バンドの取付構造に係り、特に、ワイヤハーネスを結束バンドで電気接続箱などに固定するための結束バンドの取付構造に関するものである。
【背景技術】
【０００２】
ワイヤハーネスを電気接続箱に固定するにあたり、結束バンドで固定することがよく行われている（特許文献１〜３）。このような結束バンドの取付構造として、例えば電気接続箱の外壁に設けた２箇所の孔部に結束バンドを通して、ワイヤハーネスを電気接続箱に取り付ける例えば図９に示されたものが提案されている（特許文献４）。
【０００３】
同図に示すように、上記結束バンドの取付構造１００は、電気接続箱の外壁を構成し、結束バンド２００が取り付けられる取付壁１０３と、互いの間に取付壁１０３を位置付ける第１壁部１０１及び第２壁部１０２と、を備えている。この取付壁１０３と第１壁部１０１との間には第１の隙間としての第１孔部１０４が、取付壁１０３と第２壁部１０２との間には第２の隙間としての第２孔部１０５が各々設けられている。そして、この第１孔部１０４から第２孔部１０５に結束バンド２００を挿通させて取付壁１０３に結束バンド２００を取り付けている。
【０００４】
また、図９に示す結束バンドの取付構造１００は、第１壁部１０１、第２壁部１０２にそれぞれ連結されると共に第１孔部１０４、第２孔部１０５に対向する位置に配された一対のガイド壁１０６、１０７が設けられている。ガイド壁１０６には、第１壁部１０１から離れる従って第１孔部１０４から離れる傾斜面１０６ａと、第１壁部１０１から離れるに向かうに従って第１孔部１０４に近づく傾斜面１０６ｂとが設けられている。傾斜面１０６ａは、ガイド壁１０６の第１壁部１０１側に設けられ、傾斜面１０６ｂは、ガイド壁１０６の第１壁部１０１から離れた側に設けられている。また、ガイド壁１０７には、第２壁部１０２に近づくに従って第２孔部１０５に近づく傾斜面１０７ａが設けられている。傾斜面１０７ａは、ガイド壁１０７の第２壁部１０２側に設けられている。
【０００５】
以上の構成により、図９に示すように、結束バンド２００が第１孔部１０４に挿入されると、結束バンド２００先端がガイド壁１０６の傾斜面１０６ａ、１０６ｂに摺接しつつ取付壁１０３に向けて結束バンド２００先端部が湾曲し、取付壁１０３に続く第２孔部１０５の開口にめがけて結束バンド２００先端が進行する。結束バンド２００先端をさらに進行させると、その先端がガイド壁１０７の傾斜面１０７ａに摺接し第２孔部１０５に向けてさらに湾曲して第２孔部１０５を貫通する。これにより、結束バンド２００先端をガイド壁１０６、１０７や取付壁１０３に沿わして挿入するだけで簡単に第１孔部１０４及び第２孔部１０５の双方に結束バンド２００を挿入することができる。
【０００６】
しかしながら、上述した結束バンドの取付構造１００によれば、取付壁１０３を設けるための型抜き孔１０８が一対のガイド壁１０６、１０７間に設けられる。このため、図１０に示すように、この型抜き孔１０８に結束バンド２００が通されて、第１孔部１０４から挿入した結束バンド２００先端を第２孔部１０５にうまく案内することができない、という問題が生じる。
【０００７】
そこで、従来では型抜き孔１０８に結束バンド２００が通されないようにするために、取付壁１０３の幅Ｗを小さく設けて型抜き孔１０８を小さくしている。しかしながら、取付壁１０３の幅Ｗを小さくすると、結束バンド２００を用いてワイヤハーネスを取り付けたときにワイヤハーネスが取付壁１０３を軸に回転してしまい、ワイヤハーネスの位置ズレが発生する恐れがある、という問題が生じている。
【先行技術文献】
【特許文献】
【０００８】
【特許文献１】特開２００９−７７４８４号公報
【特許文献２】特開２００７−１７４８２１号公報
【特許文献３】特開２０１０−４６３２号公報
【特許文献４】特開２００８−２３２２２２号公報
【発明の概要】
【発明が解決しようとする課題】
【０００９】
そこで、本発明は、確実に第１の隙間から挿入した結束バンドを第２の隙間に案内することができ、かつ、ワイヤハーネスの位置ズレを防止できる結束バンドの取付構造を提供することを課題とする。
【課題を解決するための手段】
【００１０】
上述した課題を解決するための請求項１記載の発明は、結束バンドが取り付けられる取付壁と、互いの間に前記取付壁を位置付ける第１壁部及び第２壁部と、を備え、前記取付壁と前記第１壁部との間に設けられた第１の隙間から前記取付壁と前記第２壁部との間に設けられた第２の隙間に向かって前記結束バンドを挿通させて前記取付壁に前記結束バンドを取り付ける結束バンドの取付構造において、前記取付壁には貫通孔が設けられ、前記貫通孔に対向する位置に配置され、前記第２壁部に向かうに従って前記取付壁側に向かう傾斜が設けられた第１ガイド壁と、前記第２壁部に連結されると共に前記第２の隙間に対向する位置に配置され、前記第２壁部に向かうに従って前記取付壁側に向かう傾斜が設けられた第２ガイド壁と、を備えたことを特徴とする結束バンドの取付構造に存する。
【００１１】
請求項２記載の発明は、前記第１ガイド壁の前記第２壁部側の端部が、前記第２ガイド壁の前記第１壁部側の端部よりも前記取付壁側に設けられていることを特徴とする請求項１に記載の結束バンドの取付構造に存する。
【００１２】
請求項３記載の発明は、前記第１壁部から前記第２壁部に向かって突出して設けられ、前記第１の隙間に対向する位置に配置された第３ガイド壁をさらに備え、前記第３ガイド壁は、前記第１壁部から離れる従って前記第１の隙間から離れる傾斜が設けられていることを特徴とする請求項１又は２に記載の結束バンドの取付構造に存する。
【００１３】
請求項４記載の発明は、前記貫通孔よりも前記第１壁部に近い前記取付壁の部分は、前記第１壁部から離れるに従って前記第１ガイド壁側に向かう傾斜が設けられ、前記貫通孔よりも前記第２壁部に近い前記取付壁の部分は、前記第２壁部から離れるに従って前記第１ガイド壁側に向かう傾斜が設けられていることを特徴とする請求項１〜３何れか１項に記載の結束バンドの取付構造に存する。
【発明の効果】
【００１４】
以上説明したように請求項１記載の発明によれば、取付壁の貫通孔が、第１ガイド壁を形成するための型抜き孔となり、取付壁を形成するための型抜き孔の中央に第２ガイド壁を設けることができる。このように、取付壁に貫通孔を設けて第１ガイド壁を設けることにより、取付壁の幅を大きくしても取付壁を形成するための型抜き孔を小さくすることができる。よって、第１の隙間に挿入された結束バンド先端は、第１ガイド壁に沿って摺接することで、第２の隙間に向けて湾曲されて第２の隙間に挿通される。また、結束バンド先端が、第１ガイド壁に摺接しなくても、第２ガイド壁に摺接して第２の隙間に向けて湾曲されて、第２の隙間に挿入される。また、２点固定もできるため、確実に第１の隙間から挿入した結束バンドを第２の隙間に案内することができ、かつ、ワイヤハーネスの位置ズレを防止できる。
【００１５】
請求項２記載の発明によれば、確実に第１ガイド壁に摺接しなかった結束バンド先端を第２ガイド壁に摺接させることができる。
【００１６】
請求項３記載の発明によれば、第３ガイド壁を設けることにより、より一層確実に第１の隙間から挿入した結束バンドを第２の隙間に案内することができる。
【００１７】
請求項４記載の発明によれば、より一層確実にワイヤハーネスの位置ズレを防止できる。
【図面の簡単な説明】
【００１８】
【図１】本発明の結束バンドの取付構造を組み込んだ電気接続箱の一実施形態を示す斜視図である。
【図２】図１に示す電気接続箱からアッパーカバーを取り外した状態の斜視図である。
【図３】図１に示す電気接続箱を構成するカセットブロックの斜視図である。
【図４】図１に示す電気接続箱を構成するカセットブロックの斜視図である。
【図５】図４のＩ−Ｉ線断面図である。
【図６】図１に示す電気接続箱に結束バンドを取り付ける手順を説明するための図である。
【図７】図１に示す電気接続箱に結束バンドを取り付ける手順を説明するための図である。
【図８】図５に示す結束バンドの取付構造を形成する金型を説明するための説明図である。
【図９】従来の結束バンドの取付構造の一例を示す断面図である。
【図１０】図９に示す結束バンドの取付構造の問題点を説明するための図である。
【発明を実施するための形態】
【００１９】
以下、本発明の結束バンドの取付構造を図１〜図５に基づいて説明する。図１は、本発明の結束バンドの取付構造を組み込んだ電気接続箱の一実施形態を示す斜視図である。図２は、図１に示された電気接続箱からアッパーカバーを取り外した状態の斜視図である。図３及び図４は、図１に示す電気接続箱を構成するカセットブロックの斜視図である。図５は、図４のＩ−Ｉ線断面図である。
【００２０】
本実施形態にかかる結束バンドの取付構造は、図１〜図５に示す電気接続箱１に組み込まれている。この電気接続箱１は、自動車のエンジンルームなどに取り付けられ、ワイヤハーネスのコネクタやリレー、ヒューズなどの複数の電気部品を収容するとともに、これら電気部品とこの自動車に搭載された多種多様な電気機器とを予め定められたパターンにしたがって電気的に接続するものである。
【００２１】
このような電気接続箱１は、当該電気接続箱１の外郭を形成するケース２（図１）と、このケース２内に収容される前述した複数の電気部品と、前述した複数の電気部品を保持するケース２内に収容されるカセットブロック３（図２）と、ケース２及びカセットブロック３に設けられ、図示しないハーネスをケース２外部に引き出す通し部４（図２）と、を備えている。
【００２２】
前述したケース２は、図１に示すように、前述したカセットブロック３が収容されるケース本体５と、このケース本体５の上方に着脱可能に設けられたアッパーカバー６と、このケース本体５の下方に着脱可能に設けられたロアカバー７と、を有している。これらケース本体５と、アッパーカバー６と、ロアカバー７と、は、絶縁性の合成樹脂で構成され、周知の射出成型により形成されている。
【００２３】
また、本明細書で言うケース２の鉛直方向は、図１ないし図５中の矢印Ｚ方向に沿った方向を言う。また、この矢印Ｚ方向は、アッパーカバー６のケース本体５への取付方向を示している。さらに、図１ないし図５中の矢印Ｘ及び矢印Ｙは各々、鉛直方向Ｚと直交する直交方向を示している。
【００２４】
上記ケース本体５は、図２に示すように、鉛直方向Ｚに沿って伸び互いに連なる複数の周壁５１により鉛直方向Ｚの両側に開口が設けられた略四角筒状に設けられている。その複数の周壁５１のうち１つには、鉛直方向Ｚ上側を切り欠いた切欠が設けられていて、その切欠から後述するカセットブロック３の側壁３１が露出している。また、ケース本体５には、後述する通し部４の一部を構成する樋状部４１が形成されている。樋状部４１は、周壁５１に設けた切欠の鉛直方向Ｚ下側の縁部から外部に向かって突出する底壁部４１ａと、この底壁部４１ａのＹ方向両端から立設された一対の立壁部４１ｂと、を備えている。この一対の立壁部４１ｂは、切欠が設けられた周壁５１に隣接している周壁５１にそれぞれ連なっている。
【００２５】
上記アッパーカバー６は、図１に示すように、ケース本体５の鉛直方向Ｚ上側の開口と相対する天井壁６１と、この天井壁６１の外縁から鉛直方向Ｚ下側に向かって立設した周壁６２と、により鉛直方向Ｚ下側に向かって開口した箱状に形成されており、ケース本体５の鉛直方向Ｚ上側の開口を覆うようにケース本体５の上方に取り付けられている。上記アッパーカバー６の周壁６２には、アッパーカバー６と後述するカセットブロック３とを固定するためのロックアーム６３が設けられている。ロックアーム６３は、アッパーカバー６の周壁６２から鉛直方向Ｚ下側に向かって突出して設けられている。
【００２６】
また、上記ロアカバー７は、図２などに示すように、ケース本体５の鉛直方向Ｚ下側の開口と相対する底壁７１と、この底壁７１から鉛直方向Ｚ下側に向かって突出された取付足７２と、から形成されており、ケース本体５の鉛直方向Ｚ下側の開口を覆うようにケース本体５の下方に取り付けられている。
【００２７】
上記取付足７２は、底壁７１から鉛直方向Ｚ下側に延びる足部７２ａと、足部７２ａの鉛直方向Ｚ下側の先端に設けたアッパーカバー６の天井壁６１とほぼ平行な取付部７２ｂと、から構成されている。取付部７２ｂにはネジ穴７２ｃが形成されていて、この取付部７２ｂを車体パネルに重ねた状態でネジ止めして、電気接続箱１を車体パネルに取り付けることができるようになっている。
【００２８】
上述したカセットブロック３は、図３及び図４に示すように、絶縁性の合成樹脂で構成され、周知の射出成型により形成されている。カセットブロック３は、立方体状に設けられていて、ヒューズを装着するヒューズボックス３２などが設けられている。また、カセットブロック３のケース本体５から露出している側壁３１には、結束バンドの取付構造８（以下単に取付構造８と略記する。）が設けられている。
【００２９】
取付構造８は、図５に示すように、結束バンド９（図６）が取り付けられる取付壁８２と、互いの間に取付壁８２を位置付ける第１壁部８１ａ及び第２壁部８１ｂと、を備えている。上記第１壁部８１ａ、第２壁部８１ｂはそれぞれ、カセットブロック３の側壁３１からＸ方向に突出して設けられ、Ｙ方向に対向して設けられている。また、第１壁部８１ａ、第２壁部８１ｂは、鉛直方向Ｚに沿った直線状に設けられている。
【００３０】
上記取付壁８２は、カセットブロック３の側壁３１からＸ方向に突出して設けられ、一対の第１壁部８１ａ、第２壁部８１ｂに近づくに従って鉛直方向Ｚ下側に向かうような曲線状に設けられている。上記取付壁８２は、上述したケース本体５に設けた底壁部４１ａよりも鉛直方向Ｚ上側に離間して設けられ、通し部４の一部を構成する。即ち、通し部４は、ケース本体５に設けた樋状部４１とカセットブロック３に設けた取付壁８２とで構成されている。
【００３１】
この取付構造８においては、図６（Ｂ）及び図７（Ｂ）に示すように、第１壁部８１ａと取付壁８２との間に設けられた第１の隙間８３ａから第２壁部８１ｂと取付壁８２との間に設けられた第２の隙間８３ｂに結束バンド９を貫通させて取付壁８２に結束バンド９を取り付けることができる。このとき、通し部４に通したワイヤハーネスを取付壁８２と結束バンド９との間に挟むように結束バンド９を取り付けることにより、ワイヤハーネスをカセットブロック３に固定することができる。
【００３２】
上記取付壁８２には、鉛直方向Ｚに貫通した貫通孔８４が設けられている。さらに、取付構造８は、貫通孔８４に対向する位置に配置された第１ガイド壁８５ａと、第２壁部８１ｂに連結されると共に第２の隙間８３ｂに対向する位置に配置された第２ガイド壁８５ｂと、を備えている。上記第１ガイド壁８５ａは、第２壁部８１ｂに向かう従って取付壁８２側に向かう曲線状の傾斜が設けられている。上記第２ガイド壁８５ｂは、第２壁部８１ｂに向かうに従って取付壁８２側に向かう曲線状の傾斜が設けられている。
【００３３】
上記第１ガイド壁８５ａの第２壁部８１ｂ側の端部は、第２ガイド壁８５ｂの第１壁部８１ａ側の端部よりも取付壁８２側に設けられている。
【００３４】
また、上記取付構造８は、第１壁部８１ａの鉛直方向Ｚ下側の端部から第２壁部８１ｂに向かって突出して設けられるとともに、第１の隙間８３ａに対向する位置に配された第３ガイド壁８５ｃをさらに備えている。第３ガイド壁８５ｃは、第１壁部８１ａから離れるに従って第１の隙間８３ａから離れる傾斜が設けられている。また、この第３ガイド壁８５ｃの第２壁部８１ｂ側の端部は、取付壁８２の第１壁部８１ａ側の端部よりも第１ガイド壁８５ａ側に設けられている。
【００３５】
また、貫通孔８４よりも第１壁部８１ａに近い取付壁８２の部分は、第１壁部８１ａから離れるに従って第１ガイド壁８５ａ側に向かう傾斜が設けられ、貫通孔８４よりも第２壁部８１ｂ側に近い取付壁８２の部分は、第２壁部８１ｂから離れるに従って第１ガイド壁８５ａ側に向かう傾斜が設けられている。
【００３６】
また、上記カセットブロック３には、側壁３１から矢印Ｘ方向に突出した一対の側壁３３ａ、３３ｂ（図５など）と、これら第１壁部８１ａ、第２壁部８１ｂ、取付壁８２、第１〜第３ガイド壁８５ａ〜８５ｃ及び側壁３３ａ、３３ｂを覆う側壁３４（図２）と、がさらに設けられている。一対の側壁３３ａ、３３ｂは、図５に示すように、矢印Ｙ方向に離間して配置され鉛直方向Ｚに沿った直線状に延び、その鉛直方向Ｚ下側の端部が第１ガイド壁８５ａ、第２ガイド壁８５ｂにそれぞれ連なっている。上記側壁３４は、図２に示すように、側壁３１と矢印Ｘ方向に離間し、かつ、側壁３１と平行に配置されている。また、上記側壁３４には、アッパーカバー６に設けたロックアーム６３を係止する係止受け部３５が形成されている。
【００３７】
次に、上述した構成の電気接続箱１の取付構造８に結束バンド９を取り付ける手順について図６及び図７を参照して以下説明する。まず、結束バンド９の先端を第３ガイド壁８５ｃに摺接させながら第１の隙間８３ａに挿入する。この第３ガイド壁８５ｃに摺接することにより結束バンド９は、鉛直方向Ｚ方向まっすぐ進まずに第１ガイド壁８５ａに向かって斜めに進行する。結束バンド９をさらに進行させると、図６（Ａ）に示すように、結束バンド９の先端が第１ガイド壁８５ａに当たる。さらに、結束バンド９を進行させると、図６（Ｂ）に示すように、結束バンド９の先端が第１ガイド壁８５ａに沿って摺接することで、第２の隙間８３ｂに向けて湾曲され第２の隙間８３ｂに挿入される。
【００３８】
これに対して、図７（Ａ）に示すように、第１の隙間８３ａに挿入された結束バンド９が第２壁部８１ｂ側に傾きすぎその先端が第１ガイド壁８５ａに当たらなかった場合、第２ガイド壁８５ｂに当たるようになっている。さらに、結束バンド９を進行させると、図７（Ｂ）に示すように、結束バンド９の先端が第２ガイド壁８５ｂに沿って摺接することで、第２の隙間８３ｂに向けて湾曲され第２の隙間８３ｂに挿入される。そして、第１の隙間８３ａ、第２の隙間８３ｂに挿入された状態の結束バンド９を通し部４に通されたワイヤハーネスの外側に巻き付けてロックすることにより、結束バンド９を用いてワイヤハーネスをカセットブロック３に取り付けることができる。
【００３９】
次に、上述した取付構造８を形成するための金型について図８を参照して説明する。同図に示すように、取付構造８は、鉛直方向Ｚに並べられた第１金型１０及び第２金型１１により形成されている。第１金型１０は、第１壁部８１ａ、第２壁部８１ｂの内側、取付壁８２及び第１〜第３ガイド壁８５ａ〜８５ｃの鉛直方向Ｚ上側を形成するための金型であり、鉛直方向Ｚ上側に引き抜かれている。この第１金型１０には、貫通孔８４よりも第１壁部８１ａに近い取付壁８２の部分の鉛直方向Ｚ上側を形成する凸部１０ａと、貫通孔８４よりも第２壁部８１ｂに近い取付壁８２の部分の鉛直方向Ｚ上側を形成する凸部１０ｂと、が設けらている。これら凸部１０ａ及び１０ｂは鉛直方向Ｚ下側に突出して設けられている。そして、上記凸部１０ａ及び１０ｂは、第１金型１０を鉛直方向Ｚ上側に引き抜くと第１壁部８１ａと第１ガイド壁８５ａとの隙間、第１ガイド壁８５ａと第２ガイド壁８５ｂとの隙間を通って引き抜かれる。
【００４０】
また、第２金型１１は、第１壁部８１ａ、第２壁部８１ｂの外側、取付壁８２及び第１〜第３ガイド壁８５ａ〜８５ｃの鉛直方向Ｚ下側を形成するための金型であり、鉛直方向Ｚ下側に引き抜かれている。この第２金型１１には、第１ガイド壁８５ａの鉛直方向Ｚ下側を形成する凸部１１ａと、第２ガイド壁８５ｂの鉛直方向Ｚ下側を形成する凸部１１ｂと、が設けらている。これら凸部１１ａ及び１１ｂは鉛直方向Ｚ上側に突出して設けられている。そして、上記凸部１１ａ及び１１ｂは、第２金型１１を鉛直方向Ｚ下側に引き抜くと貫通孔８４、第２の隙間８３ｂを通って引き抜かれる。
【００４１】
上述した取付構造８によれば、取付壁８２には貫通孔８４が設けられ、第２壁部８１ｂに向かうに従って取付壁８２側に向かう第１ガイド壁８５ａが、貫通孔８４に対向する位置に配置されている。さらに、第２壁部８１ｂに向かうに従って取付壁８２側に向かう第２ガイド壁８５ｂが、第２壁部８１ｂに連結されると共に第２の隙間８３ｂに対向する位置に配置される。
【００４２】
以上の構成によれば、図８を参照して説明したように取付壁８２の貫通孔８４が、第１ガイド壁８５ａを形成する凸部１１ａの型抜き孔となり、取付壁８２を形成するための型抜き孔の中央に第２ガイド壁８５ｂを設けることができる。また、図６及び図７を参照して説明したように、第１の隙間８３ａに挿入された結束バンド９先端は、第１ガイド壁８５ａに沿って摺接することで、第２の隙間８３ｂに向けて湾曲されて第２の隙間８３ｂに挿入される。また、結束バンド９先端が、第１ガイド壁８５ａに摺接しなくても、第２ガイド壁８５ｂに摺接して第２の隙間８３ｂに向けて湾曲されて、第２の隙間８３ｂに挿入される。しかも、取付壁８２に貫通孔８４を設けて第１ガイド壁８５ａを設けることにより、取付壁８２の矢印Ｙ方向の幅Ｗ（図５）を大きくしても取付壁８２を形成するための型抜き孔を小さくすることができる。また、ワイヤハーネス径の大小にかかわらず２点固定もできるため、確実に第１の隙間８３ａから挿入した結束バンド９を第２の隙間８３ｂに案内することができ、かつ、ワイヤハーネスの位置ズレを防止できる。
【００４３】
また、上述した結束バンド９の取付構造８によれば、第１ガイド壁８５ａの第２壁部８１ｂ側の端部が、第２ガイド壁８５ｂの第１壁部８１ａ側の端部よりも取付壁８２側に設けられている。このため、確実に第１ガイド壁８５ａに摺接しなかった結束バンド９先端を第２ガイド壁８５ｂに摺接させることができる。
【００４４】
また、上述した結束バンド９の取付構造８によれば、第３ガイド壁８５ｃを設けることにより、結束バンド９の先端を第１ガイド壁８５ａに向けるため、より一層確実に第１の隙間８３ａから挿入した結束バンド９を第２の隙間８３ｂに案内することができる。
【００４５】
また、上述した結束バンド９の取付構造８によれば、貫通孔８４よりも第１壁部８１ａに近い取付壁８２の部分は、第１壁部８１ａから離れる従って第１ガイド壁８５ａ側に向かう傾斜が設けられ、貫通孔８４よりも第２壁部８１ｂに近い取付壁８２の部分は、第２壁部８１ｂから離れる従って第１ガイド壁８５ａ側に向かう傾斜が設けられているので、より一層確実にワイヤハーネスの位置ズレを防止できる。
【００４６】
なお、上述した実施形態によれば、カセットブロック３に取付構造８を設けていたが本発明はこれに限ったものではない。例えば、ケース本体５にワイヤハーネスを固定したい場合は、ケース本体５に設けてもよい。即ち、結束バンド９を取り付けたい箇所に適宜設ければよい。
【００４７】
また、上述した実施形態によれば、貫通孔８４は、取付壁８２の対向方向Ｙの真ん中に設けていたが、本発明はこれに限ったものではない。貫通孔としては、取付壁８２の対向方向Ｙの一端と他端との間であればどこに設けても良い。
【００４８】
また、上述した実施形態によれば、第１壁部８１ａ、第２壁部８１ｂは、鉛直方向Ｚ、即ち第１の隙間８３ａ、第２の隙間８３ｂの貫通方向に沿って一直線状に設けられていたが、本発明はこれに限ったものではない。第１壁部８１ａ、８１ｂの形状は、結束バンド９を取り付けたい箇所の形状によって適宜変わるものであり、例えば、従来のように第１の隙間８３ａ、第２の隙間８３ｂの貫通方向と直交する方向（矢印Ｙ方向）に沿っていてもよい。
【００４９】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５０】
８      結束バンドの取付構造
９      結束バンド
８１ａ  第１壁部
８１ｂ  第２壁部
８２    取付壁
８３ａ  第１の隙間
８３ｂ  第２の隙間
８４    貫通孔
８５ａ  第１ガイド壁
８５ｂ  第２ガイド壁
８５ｃ  第３ガイド壁
【図１】
0005746580.tif 000002
【図２】
0005746580.tif 000003
【図３】
0005746580.tif 000004
【図４】
0005746580.tif 000005
【図５】
0005746580.tif 000006
【図６】
0005746580.tif 000007
【図７】
0005746580.tif 000008
【図８】
0005746580.tif 000009
【図９】
0005746580.tif 000010
【図１０】
0005746580.tif 000011